(57)【要約】【課題】本考案は、ブロックに損傷を与えることなく、ブロック間のすき間を簡単な作業で埋めることができるブロック連結金具を提供することを目的とする。【解決手段】本考案のブロック連結金具は、両端部近傍にボルト貫通孔１４、１５を有し、一端にカム当接部１６を有するプレート１１と、ボルト貫通孔１７を有するカム１２と、カム１２上に設けられる突出部１３とを備える。プレート１１のカム当接部１６側のボルト貫通孔１４は、プレート１１の長手方向に延びる長孔である。突出部１３は、そのボルト貫通孔がカム１２のボルト貫通孔１７と連通するようにカム１２上に設けられる。また、突出部１３の外郭は、そのボルト貫通孔を貫通するボルトの頭部の外郭と同一の大きさ及び形状である。【選択図】  図１
0003130189.tif 000002
【実用新案登録請求の範囲】
【請求項１】
隣接するブロック同士を連結するブロック連結金具において、
両端部近傍にボルト貫通孔を有し、一端に突出するように形成されたカム当接部を有するプレートと、
ボルト貫通孔を有するカムとを備え、
前記プレートの前記カム当接部側のボルト貫通孔は、前記プレートの長手方向に延びる長孔であり、
前記カムのボルト貫通孔と前記プレートの長孔とにボルトを貫通させ、該ボルトをブロックに螺合した状態で、前記カムは、その周縁が前記カム当接部と当接しながら、前記ボルトを軸に回動可能である、
ことを特徴とするブロック連結金具。
【請求項２】
請求項１に記載のブロック連結金具において、
前記カム上に、前記カムのボルト貫通孔と連通するボルト貫通孔を有する突出部を設け、
前記突出部は、前記ボルトの頭部の外郭と同一の大きさ及び形状の外郭を有する、
ことを特徴とするブロック連結金具。
【考案の詳細な説明】
【技術分野】
【０００１】
本考案は、ブロック同士を連結する金具に関する。
【背景技術】
【０００２】
従来、ブロック同士を連結する金具として、例えば、舗装道路に沿って施工される側溝ブロック同士を連結する連結金具が提案されている（ロングＵ協会京滋支部発行の製品カタログ「ロングＵ／エプロン（Ｔ−２５対応）」の２３頁参照）。
【０００３】
図５は、従来のブロック連結金具の構造を示す図である。
図５において、従来のブロック連結金具はプレート５１とクサビ５２とからなる。プレート５１は丸孔５３と長孔５４とを有し、長孔５４側の一端にクサビ５２と当接する当接部５５を有する。クサビ５２は長孔５６を有する。
【０００４】
図６は、側溝ブロックへの従来の連結金具の取り付け状態を示す図である。
以下、図５、６を用いて、従来のブロック連結金具による側溝ブロックの連結方法について説明する。
【０００５】
まず、プレート５１の丸孔５３にワッシャーをはさんでボルト５７を貫通させ、ボルト５７を側溝ブロック５８のボルト挿入孔に螺合する。次に、レンチなどの工具でボルト５７を締め付ける。次に、プレート５１の長孔５５の上にクサビ５２を当て、クサビ５２をプレート５１の当接部５５に当接させる。この状態で、ボルト５９を長孔５４及び長孔５６にワッシャーをはさんで貫通し、ボルト５９を側溝ブロック６０のボルト挿入孔に螺合する。次に、ボルト５９を指で締める。次に、クサビ５２の上部をハンマー６０で叩く。これにより、側溝ブロック５８と側溝ブロック６０とのすき間が埋まる。最後に、ボルト５９をレンチなどの工具で締め付けることで、連結金具の取り付けが完了する。
【０００６】
以上のようにして、ブロック連結金具をブロックに取り付けることで、ブロック同士をすき間なく連結できる。
【考案の開示】
【考案が解決しようとする課題】
【０００７】
しかし、従来のブロック連結金具を用いる方法では、ブロック間のすき間を埋めるために、クサビをハンマーで叩く必要があり、この作業において、ハンマーによってブロックに損傷を与える可能性がある。
【０００８】
よって、本考案では、ブロックに損傷を与えることなく、ブロック間のすき間を簡単な作業で埋めることができるブロック連結金具を提供することを目的とする。
【課題を解決するための手段】
【０００９】
本考案のブロック連結金具は、両端部近傍にボルト貫通孔を有し、一端に突出するように形成されたカム当接部を有するプレートと、ボルト貫通孔を有するカムとを備え、前記プレートの前記カム当接部側のボルト貫通孔は、前記プレートの長手方向に延びる長孔であり、前記カムのボルト貫通孔と前記プレートの長孔とにボルトを貫通させ、該ボルトをブロックに螺合した状態で、前記カムは、その周縁が前記カム当接部と当接しながら、前記ボルトを軸に回動可能であることを特徴とする。
【００１０】
また、本考案のブロック連結金具は、前記カム上に、前記カムのボルト貫通孔と連通するボルト貫通孔を有する突出部を設け、前記突出部は、前記ボルトの頭部の外郭と同一の大きさ及び形状の外郭を有することを特徴とする。
【考案の効果】
【００１１】
本考案のブロック連結金具は、両端部近傍にボルト貫通孔と、一端に突出するように形成されたカム当接部とを有するプレートと、ボルト貫通孔を有するカムとを備え、前記プレートの前記カム当接部側のボルト貫通孔は、前記プレートの長手方向に延びる長孔であり、前記カムのボルト貫通孔と前記プレートの長孔とにボルトを貫通させ、該ボルトをブロックに螺合した状態で、前記カムは、その周縁が前記カム当接部と当接しながら、前記ボルトを軸に回動可能であることから、本考案のブロック連結金具をブロックに取り付けて、カムを回転させるだけで、ブロックに損傷を与えることなく、隣接するブロック同士をすき間なく連結することができる。
【００１２】
また、本考案のブロック連結金具によれば、前記カム上に、前記カムのボルト貫通孔と連通するボルト貫通孔を有し、前記ボルトの頭部の外郭と同一の大きさ及び形状の外郭を有する突出部を設けたことから、ボルトの締め付けに用いる工具を前記突出部に嵌合して回すことで、カムを回転させることができる。その結果、より少ない工具で、かつ、より少ない手順でブロック間のすき間を埋めることができる。
【考案を実施するための最良の形態】
【００１３】
（実施の形態１）
図１は、本実施の形態１に係るブロック連結金具の構成を示す図である。
本実施の形態１に係るブロック連結金具は、プレート１１とカム１２とからなる。
【００１４】
プレート１１は、両端部近傍にボルト貫通孔１４、１５を有し、一端にカム１２と当接するカム当接部１６を有する。カム当接部１６側のボルト貫通孔１４は、プレート１１の長手方向に延びる長孔である。
【００１５】
カム１２は、ボルト貫通孔１７と突出部１３とを有する。突出部１３は、そのボルト貫通孔がカムのボルト貫通孔１７と連通するようにカム１２上に設けられる。突出部１３は、例えば、座金（ワッシャー）を溶接などによってカム１２上に固着することで、形成する。
【００１６】
以上のように構成されるブロック連結金具は、ボルトによってブロックに取り付けられる。そして、取り付け後、レンチなどの工具を突出部１３に嵌合して回すことで、カム１２が回転し、カム１２の回転運動がプレート１１の長手方向の直線運動に変換されて、ブロック同士が連結する。突出部１３の外郭を、ブロック連結金具の取り付けに用いるボルトの頭部の外郭と同一の大きさ及び形状にすることで、ボルトの締め付け作業とカム１２の回転作業に同じ工具を用いることが可能になる。例えば、六角ボルトを使用して、ブロック連結金具をブロックに取り付ける場合、突出部１３の形状を六角形とする。これにより、例えば、ボルトの締め付けに用いる六角レンチを用いて、カム１２の回動作業も行うことが可能になる。
【００１７】
以下、図２〜４を用いて、本実施の形態１に係るブロック連結金具のブロックへの取り付け方法について説明する。図２は、ブロックへの取り付け完了前のブロック連結金具の上面図で、図３は、ブロックへの取り付け完了後のブロック連結金具の上面図で、図４は、ブロックへの取り付け完了後のブロック連結金具の側面図である。
【００１８】
まず、プレート１１の貫通孔１５にワッシャ２４をはさんでボルト１８を貫通させ、ボルト１８を、ブロック１９の切り欠き部２２に形成されたボルト挿入孔に螺合する。次に、ボルト１８をレンチなどの工具で締め付ける。次に、突出部１３のボルト貫通孔、カム１２のボルト貫通孔１７、及びプレート１１のボルト貫通孔（長孔）１４を連通するようにボルト２０を貫通させ、ボルト２０を、ブロック２１の切り欠き部２３に形成されたボルト挿入孔に螺合する。これにより、図２に示すように、ブロック連結金具がブロック１９、２１に取り付けられるが、ブロック１９とブロック２１との間にはすき間が存在する。次に、ボルトの締め付けに使用するレンチなどの工具を突出部１３に嵌合して、該工具によってカム１２を回転させる。これにより、カム１２は、その周縁部がプレート１１の当接部１６に当接しながら、ボルト２０を軸として回転運動する。この動作により、カム１２の回転運動がプレート１１の長手方向の直線運動に変わり、ブロック１９とブロック２１とのすき間が、図３、４に示すように、埋まる。最後に、ボルト２０を締め付けて、ブロック連結金具をブロックに固定する。突出部１３の外郭とボルト１８、２０の頭部の外郭とは同一の大きさ及び形状であることから、カム１２を回動させる作業とボルト１８、２０を締め付ける作業は、１つの工具、例えば１つのレンチで行うことができる。
【００１９】
以上のように、本実施の形態１に係るブロック連結金具によれば、ボルト貫通孔１４、１５とカム当接部１６とを有するプレート１１と、ボルト貫通孔１７を有するカム１２とを備え、プレート１１のカム当接部１６側のボルト貫通孔１４は、プレート１１の長手方向に延びる長孔であり、カム１２のボルト貫通孔１７とプレート１１の長孔とにボルト２０を貫通させ、ボルトをブロックに螺合した状態で、カム１２は、その周縁がカム当接部１６と当接しながら、ボルト２０を軸に回動可能であることから、ボルト２０を軸としてカム１２を回転させるだけで、ブロックに損傷を与えることなく、容易に、ブロック間のすき間を埋めることができる。
【００２０】
また、本実施の形態１に係るブロック連結金具によれば、カム１２上に突出部１３を設け、突出部１３は、ボルト１８、２０の頭部の外郭と同一の大きさ及び形状の外郭を有し、ボルト１８、２０の締め付け作業に用いる工具と嵌合することから、カム１２の回動作業とボルト１８、２０の締め付け作業とを１つの工具で行うことができる。
【００２１】
なお、本実施の形態１では、プレート１１のボルト貫通孔１４を長孔とし、プレート１１のボルト貫通孔１４側の一端にカム当接部１６を設ける場合について説明したが、本考案はこれに限らない。プレート１１のボルト貫通孔１５を長孔とし、ボルト貫通孔１５側に当接部を設けても良い。
【産業上の利用可能性】
【００２２】
本考案は、ブロック同士を連結する金具として有用である。
【図面の簡単な説明】
【００２３】
【図１】本考案の実施の形態１に係るブロック連結金具の構成図である。
【図２】本考案の実施の形態１に係るブロック連結金具の取り付け完了前の状態図である。
【図３】本考案の実施の形態１に係るブロック連結金具の取り付け完了後の上面図である。
【図４】本考案の実施の形態１に係るブロック連結金具の取り付け完了後の側面図である。
【図５】従来のブロック連結金具の構成図である。
【図６】従来のブロック連結金具の取り付け完了後の状態を示す図である。
【符号の説明】
【００２４】
１１、５１  プレート
１２  カム
１３  突出部
１４、１５  ボルト貫通孔
１６  カム当接部
１７  カムのボルト貫通孔
１８、２０  ボルト
１９、２１  ブロック
２２、２３  切り欠き部
２４  ワッシャー
５２  クサビ
５３  丸孔
５４  長孔
５５  当接部
５６  クサビの長孔
５７、５９  ボルト
５８、６０  側溝ブロック
６１  ハンマー
【図１】
0003130189.tif 000003
【図２】
0003130189.tif 000004
【図３】
0003130189.tif 000005
【図４】
0003130189.tif 000006
【図５】
0003130189.tif 000007
【図６】
0003130189.tif 000008